(57)【要約】【課題】衣類等の菌の増殖による悪臭の発生を、複数の抗菌剤を併用することにより低配合で抑制することができ、皮膚刺激性等の人体への影響と保存安定性を向上させ、更に衣類等の風合いを良好にする効果を有する組成物を提供する。【解決手段】（Ａ）エステル基又はアミド基で分断されていてもよい炭素数１０〜２６の炭化水素基を分子内に１個以上含有するアミン化合物、その塩及びその４級化物からなる群から選ばれる１種以上の化合物、（Ｂ）アルキルジメチルヒドロキシエチルアンモニウム塩（ｂ１）を含み、かつ第４級アンモニウム型抗菌剤（ｂ２，ｂ３，・・・ｂｎ）からなる群から選ばれる少なくとも１種の化合物、（Ｃ）水溶性溶剤、及び（Ｄ）アミノ変性シリコーンを含む液体柔軟剤組成物。【選択図】なし【特許請求の範囲】
【請求項１】
（Ａ）エステル基又はアミド基で分断されていてもよい炭素数１０〜２６の炭化水素基を分子内に１〜３個有するアミン化合物、その塩及びその４級化物からなる群から選ばれる少なくとも１種の化合物、
（Ｂ）アルキルジメチルヒドロキシエチルアンモニウム塩（ｂ１）を含み、かつ第４級アンモニウム型抗菌剤（ｂ２，ｂ３・・・ｂｎ）からなる群から選ばれる少なくとも１種の化合物、
（Ｃ）水溶性溶剤、および
（Ｄ）アミノ変性シリコーン、を少なくとも含む液体柔軟剤組成物。
【請求項２】
前記（Ｂ）成分が、ｂ１の他に１種を含み、且つ、該（Ｂ）成分の質量の和が（（Ａ）〜（Ｄ）成分の合計量を基準、１００質量部として）２０質量部以下で含まれる請求項１に記載の液体柔軟剤組成物。
【請求項３】
前記（Ｂ）成分が、ｂ１の他にｂ２を含み、且つ、該（Ｂ）成分の質量の和が、（（Ａ）〜（Ｄ）成分の合計量を基準、１００質量部として）２０質量部以下である請求項２に記載の液体柔軟剤組成物。
【請求項４】
前記ｂ１とｂ２の２種の抗菌剤の質量の割合が、１：２０〜２０：１である請求項３に記載の液体柔軟剤組成物。
【請求項５】
前記（Ｄ）成分と（Ａ）成分との質量比（Ｄ）／（Ａ）が、１００／１〜１／１００となるように、少なくとも１種の該（Ｄ）成分を含む請求項１〜４のいずれか１項に記載の液体柔軟剤組成物。
【発明の詳細な説明】
【技術分野】
【０００１】
本発明は、液体柔軟剤組成物に関する。本発明は、特に、アルキルジメチルヒドロキシエチルアンモニウム塩および第４級アンモニウム型抗菌剤を併用することによる高い抗菌効果の付与、組成物の安定性の悪化の抑制、皮膚刺激性等の人体への影響の緩和を可能とし、更に、衣類になめらかなさらりとした風合いを付与可能な効果を有する液体柔軟剤組成物に関する。
【背景技術】
【０００２】
柔軟剤市場における香りブームの中、柔軟剤で処理した衣類等の繊維製品の香り立ちを良好にするため、衣類等の摩擦による発香効果として柔軟剤組成物にカプセル化香料を配合することが行われてきた。また、柔軟剤で処理した衣類等においては、繊維製品自体に起因する悪臭のために、本来の香料の香りのアイデンティティが発揮されないという課題があったが、この悪臭は、衣類上に存在する菌の影響が要因と考えられてきた。このような衣類の悪臭の発生を抑制する手段として、従来より、柔軟剤への抗菌剤の配合が行われてきた。菌による衣類等の悪臭を抑制する抗菌剤としては、液への配合のしやすさと衣類への吸着しやすさの点から、カチオン界面活性剤系抗菌剤を配合する場合が多かった。従来においては、上記の課題に対して、４級アンモニウム型抗菌剤単品で解決したものが知られている（特許文献１、特許文献２）。
【先行技術文献】
【特許文献】
【０００３】
【特許文献１】特表２００４−５２２０１０号公報
【特許文献２】特開２０１２−１８６２号公報
【発明の概要】
【課題を解決するための手段】
【０００４】
本発明者は、鋭意研究の結果、それぞれ異なる第４級アンモニウム型抗菌剤を少なくとも２種以上併用することにより、第４級アンモニウム型抗菌剤単一では得られなかった菌による悪臭を抑制するのに充分な抗菌性能を達成可能であることを見出し、本発明を完成した。
【０００５】
本発明の液体柔軟剤組成物は、このような発見に基づくものであり、より詳しくは、
（Ａ）エステル基又はアミド基で分断されていてもよい炭素数１０〜２６の炭化水素基を分子内に１〜３個有するアミン化合物、その塩及びその４級化物からなる群から選ばれる少なくとも１種の化合物、
（Ｂ）アルキルジメチルヒドロキシエチルアンモニウム塩（ｂ１）を含み、かつ第４級アンモニウム型抗菌剤（ｂ２，ｂ３・・・ｂｎ）からなる群から選ばれる少なくとも１種の化合物、
（Ｃ）水溶性溶剤、および
（Ｄ）アミノ変性シリコーン、を少なくとも含むものである。
【０００６】
本発明者は、上記発見に基づき更に研究を進めた結果、本発明の液体柔軟剤組成物においては、（従来の該組成物におけるような）かつ単一成分で付与される抗菌力を超える性能を、従来の該組成物におけるより「半分以下」の配合率で達成し得る結果を得ることが可能であり、しかも、安定性および人体への影響についての課題（すなわち、組成物の安定性の悪化の抑制、皮膚刺激性等の人体への影響の緩和）を達成できることを見出した。
【０００７】
これに対して、従来技術においては、第４級アンモニウム型抗菌剤を２種類以上併用することによる上記課題の解決は報告されていない。本発明者は更に試験を進めた結果、実際に菌による悪臭を抑制するためには高い抗菌性能が必要となり、従来技術（例えば、特許文献１および２）で言及されている第４級アンモニウム型抗菌剤単一成分のみでは、高い比率で第４級アンモニウム型抗菌剤を配合しても、課題を解決する為に充分な抗菌性能は得られないことを見出している。また、高い比率（含有量）で第４級アンモニウム型抗菌剤を配合した場合には、組成物の安定性の悪化および皮膚刺激性等の人体への影響に関する懸念が増大する。
【０００８】
従来技術において、カチオン型抗菌剤を２種類以上併用した例が無い理由は、本発明者の推定によれば、以下のように推定される。
【０００９】
すなわち、従来技術においては、カチオン型抗菌剤−カチオン型抗菌剤の組合せは、本発明者の推定によれば、（一面においては、カチオン型抗菌剤−アニオン型抗菌剤の組合せと同様に）カチオン−カチオンの電荷同士（ないしは対イオン同士）あるいは、（Ａ）成分のカチオンとカチオン型抗菌剤の電荷同士が、それらの「電荷の相互作用」により、保存安定性へ悪影響があると考えられてきたことによると推定される。
【００１０】
これに対して、本発明は、（何らかの逡巡が否定できなかったものの）カチオン−カチオンの組合せを「敢えて」採用することにより、高い抗菌性能が得られることを発見したことに基づく。
【００１１】
本発明は、例えば、以下の態様を含むことができる。
【００１２】
［１］  （Ａ）エステル基又はアミド基で分断されていてもよい炭素数１０〜２６の炭化水素基を分子内に１〜３個有するアミン化合物、その塩及びその４級化物からなる群から選ばれる少なくとも１種の化合物、
（Ｂ）アルキルジメチルヒドロキシエチルアンモニウム塩（ｂ１）を含み、かつ第４級アンモニウム型抗菌剤（ｂ２，ｂ３・・・ｂｎ）からなる群から選ばれる少なくとも１種の化合物、
（Ｃ）水溶性溶剤、および
（Ｄ）アミノ変性シリコーン、を少なくとも含む液体柔軟剤組成物。
【００１３】
［２］  前記（Ｂ）成分が、ｂ１の他に１種を含み、且つ、該（Ｂ）成分の質量の和が（（Ａ）〜（Ｄ）成分の合計量を基準、１００質量部として）２０質量部以下で含まれる［１］に記載の液体柔軟剤組成物。
【００１４】
［３］  前記（Ｂ）成分が、ｂ１の他にｂ２を含み、且つ、該（Ｂ）成分の質量の和が、（（Ａ）〜（Ｄ）成分の合計量を基準、１００質量部として）２０質量部以下である［２］に記載の液体柔軟剤組成物。
【００１５】
［４］  前記ｂ１とｂ２の２種の抗菌剤の質量の割合が、１：２０〜２０：１、好ましくは１：１０〜１０：１であり、より好ましくは４：６〜６：４であるように含む［３］に記載の液体柔軟剤組成物。
【００１６】
［５］  前記（Ｄ）成分と（Ａ）成分との質量比（Ｄ）／（Ａ）が、１００／１〜１／１００、好ましくは７５／１〜１／２５、より好ましくは、５０／１〜１／１０となるように、少なくとも１種の該（Ｄ）成分を含む［１］〜［４］のいずれか１項に記載の液体柔軟剤組成物。
【発明の効果】
【００１７】
本発明によれば、菌による衣類等の不快臭を抑制し、香料の香り立ちを良好に担保したうえで、保存中の組成物を安定的に保ち、かつ人体への皮膚刺激性を低減させることができる。
【００１８】
本発明によれば、更に、上記（Ａ）成分だけでは得られない、柔軟性とさらりとしたなめらかな風合いを、衣類に与えることが可能となる。
【発明を実施するための形態】
【００１９】
以下、本発明を更に具体的に説明する。以下の記載において量比を表す「部」および「％」は、特に断らない限り質量基準とする。
【００２０】
［（Ａ）成分］
本発明の液体柔軟剤組成物に含まれる（Ａ）成分は、エステル基又はアミド基で分断されていてもよい炭素数１０〜２６の炭化水素基を分子内に１〜３個有するアミン化合物、その塩及びその４級化物からなる群から選ばれ、かつカチオン界面活性剤として機能するものである。（Ａ）成分は、下記の（Ｄ）成分と共に、繊維へ柔軟性付与並びに風合いを付与する効果をもたらすために配合される。
【００２１】
（Ａ）成分としてのアミン化合物中、炭化水素基は、窒素原子に結合しており、窒素原子へ結合している炭化水素基の数は１〜３である。炭化水素基の炭素数は、１０〜２６であり、好ましくは、１２〜２２、特に好ましくは１４〜１８である。また、炭化水素基は、エステル基、エーテル基及びアミド基からなる群より選ばれる１種以上の基により分断されていてもよい。エステル基、エーテル基及びアミド基の中では、エステル基が特に好ましい。炭化水素基を分断する基がエステル基、エーテル基及びアミド基からなる群より選ばれる場合、炭化水素基１つにつき、該炭化水素基を分断する基（すなわち、エステル基、エーテル基及びアミド基からなる群より選ばれる基）の数は、１つである。
【００２２】
衣類への柔軟性付与の点からは、（Ａ）成分は、本発明の液体柔軟剤組成物（Ａ）〜（Ｄ）の必須成分の合計量（１００質量部）を基準として、該液体柔軟剤組成物中に１０〜９０質量部含まれることが好ましく、更には３０〜８０質量部含まれることが好ましい。衣類をなめらかでさらりとした風合いで仕上げる点からは、該（Ａ）成分と（Ｄ）成分の質量の比（Ａ）／（Ｄ）が、１００／１〜１／１００となるように含まれることが好ましく、この質量の比は、更には７５／１〜１／２５、特に５０／１〜１／１０となるように、液体柔軟剤組成物中に含まれることが好ましい。
【００２３】
［（Ｂ）成分］
本発明の液体柔軟剤組成物に含まれる（Ｂ）成分は、アルキルジメチルヒドロキシエチルアンモニウム塩（ｂ１）と第４級アンモニウム型抗菌剤（ｂ２、ｂ３、ｂ４、・・・ｂｎ）の群から選ばれる少なくとも１種の化合物であり、抗菌剤として機能するものである。ｂ１およびｂ２、ｂ３、・・・ｂｎは繊維上で菌の増殖を抑え、さらには微生物の分解物由来の嫌なにおいの発生を抑える効果を有する成分である。
【００２４】
この（Ｂ）成分は、本発明の液体柔軟剤組成物（Ａ）〜（Ｄ）の必須成分の合計量（１００質量部）を基準として、該（Ｂ）成分の質量の和が２０質量部以下となるように、ｂ１の他に１種以上が、該液体柔軟剤組成物に含まれることが好ましい。より好ましい態様においては、ｂ１の他に１種（すなわち、ｂ２）が本発明の液体柔軟剤組成物に含まれ、かつｂ１とｂ２の２種の抗菌剤の質量の割合が、１：２０〜２０：１であることが好ましい。この質量の割合（ｂ１／ｂ２）は、更には１：１０〜１０：１、特に４：６〜６：４となるように、液体柔軟剤組成物中に含まれることが好ましい。
【００２５】
（ｂ１成分）
ｂ１成分は、次式（１）で表されるものであることが好ましい。式中、Ｒ１は線状もしくは分枝状、飽和または不飽和の、炭素原子数が５〜２２個、好ましくは８〜１８個、より好ましくは１２〜１４個であるアルキル基である。Ｒ２およびＲ３はメチル基であり、Ｒ４は、−Ｃ２Ｈ４ＯＨである。次式（１）中、Ｘはアニオンである。
【００２６】
Ｘは、例えば塩化物イオン、臭化物イオン、ヨウ化物イオン、フッ化物イオン、硫酸イオン、硫酸水素イオン、炭酸イオン、炭酸水素イオン、酢酸イオン、クエン酸イオン、リン酸イオン、リン酸一水素もしくはリン酸二水素イオン、ピロリン酸イオン、ポリリン酸イオン、メタリン酸イオン、硝酸イオン、メチル硫酸イオン、ホスホン酸イオン、メチルホスホン酸イオン、メタン二スルホン酸イオン、メチルスルホン酸イオン、エタンスルホン酸イオン、または式Ｒ６ＳＯ３、Ｒ７ＳＯ４もしくはＲ６ＣＯＯ（Ｒ６及びＲ７はＣ２〜Ｃ２０アルキル（好ましくは、Ｃ１０〜Ｃ１８アルキルフェニルでもある）で表されるアニオンであることが好ましい。
【００２７】
ｂ１成分は、好ましくは、Ｃ１２〜Ｃ１４アルキルジメチルヒドロキシエチルアンモニウムクロライドまたはメトスルフェートである。
【００２８】
【化１】
2016044371.tif 000002
【００２９】
（ｂ２成分）
ｂ２成分は、（式（１）で表されるｂ１成分とは異なり）、式（２）で表されるものを含むことが好ましい。式中、ＲはＣ８Ｈ１７〜Ｃ１８Ｈ３７であり、より好ましくはＣ１２Ｈ２５〜Ｃ１４Ｈ２９で表される。
【００３０】
【化２】
2016044371.tif 000003
【００３１】
（（Ｃ）成分）
（Ｃ）成分は、下記から選ばれる少なくとも１種の水溶性溶剤である。この（Ｃ）成分は、本発明の液体柔軟剤組成物（Ａ）〜（Ｄ）の必須成分の合計量（１００質量部）を基準として、０．５〜４０質量部で液体柔軟剤組成物に含まれることが好ましい。（Ｃ）成分の量は、好ましくは２〜３５質量部、より好ましくは４〜２５質量部である。
【００３２】
（水溶性）
本発明においては、第ｌ５改正日本薬局方（通則）の「溶解性」定義に準拠して、以下のように「水溶性」を測定する。すなわち、測定対象（この場合には、「（Ｃ）成分」）１ｇを、溶媒（この場合には、「水」）３０ｍＬ、好ましくは２０ｍＬ、より好ましくは１０ｍＬ、更に好ましくは５ｍＬ、特に好ましくは１ｍＬ中に入れ、２０±５℃で５分ごとに強く３０秒間振り混ぜるとき、３０分以内に溶けるか又は混和することを、本発明における「溶解性」（この場合には、「水溶性」）とする。ここに「溶解する」とは、澄明な溶液を与えるか、または任意の割合で澄明に混和することを言う。
【００３３】
（Ｃ）成分は、好ましくは、アルカノール、多価アルコール、ポリグリコール、アルキルエーテル、芳香族エーテル、またはアルカノールアミンから選ばれる少なくとも１種の水溶性溶剤である。
【００３４】
（（Ｄ）成分）
本発明の液体柔軟剤組成物に含まれる（Ｄ）成分は、アミノ変性シリコーンであり、これはジメチルシリコン骨格の両末端あるいは側鎖にアミノ基を導入してなる化合物である。アミノ変性シリコーンは、オイルの形態（シリコーンオイル）であってもよく、ノニオン界面活性剤やカチオン界面活性剤を乳化剤として用いることで乳化させたエマルジョン（シリコーンエマルジョン）の形態であってもよい。特に好ましい（Ｄ）成分としては、末端に−Ｈ基及び／又は−ＯＨ基を有するアミノ変性シリコーンを界面活性剤で乳化重合しているエマルジョンが挙げられる。
【００３５】
アミノ変性シリコーンとしては、商業的に入手できるものを特に制限なく使用することができる。シリコーンオイルとしては、例えば、東レ・ダウコーニング株式会社から商品名：ＳＦ  ８４１７、ＢＹ  １６−８４９、ＢＹ  １６−８９２又はＢＹ  １６−８９１で販売されているものや、信越化学工業株式会社から商品名：ＫＦ−８６４、ＫＦ−８６０、ＫＦ−８８０ＫＦ−８００４、ＫＦ−８００２、ＫＦ−８００５、ＫＦ−８６７又はＫＦ−８６９、ＫＦ−８６１又はＫＦ−８６１０で販売されているもの等が挙げられる。
【００３６】
シリコーンエマルジョンとしては、東レ・ダウコーニング株式会社から商品名：ＳＭ  ８９０４、ＢＹ２２−０７９、ＦＺ−４６７１又はＦＺ−４６７２で販売されているものや、信越化学工業株式会社からＰｏｌｏｎシリーズとして商品名：Ｐｏｌｏｎ  ＭＦ−１４、Ｐｏｌｏｎ  ＭＦ−２９、Ｐｏｌｏｎ  ＭＦ−１４Ｄ、Ｐｏｌｏｎ  ＭＦ−４４、ＰｏｌｏｎＭＦ−１４ＥＣやＰｏｌｏｎ  ＭＦ−５２で販売されているもの、旭化成ワッカーシリコーン株式会社からＷＡＣＫＥＲ  ＦＣ２１８、ＷＡＣＫＥＲ  ＦＣ２０１で販売されているものが挙げられる。
【００３７】
［他の任意成分］
本発明の液体柔軟剤組成物は、本発明の効果を損なわない範囲で、必要に応じて、上記成分（すなわち、（Ａ）〜（Ｄ）成分）以外の他の「任意成分」を含有してもよい。この「任意成分」としては、例えば、水、ノニオン界面活性剤、染料及び／又は顔料、香料、および他の任意成分が挙げられる。本発明の液体柔軟剤組成物において、必須成分たる（
Ａ）〜（Ｄ）成分の合計質量を基準（１００質量部）として、「任意成分」の質量の合計が５００部以下であることが好ましい。「任意成分」の質量は、更には４００部以下、特に３５０部以下であることが好ましい。以下に、本発明において好適に使用可能な「任意成分」について述べる。
【００３８】
＜水＞
本発明の液体柔軟剤組成物は、好ましくは水性組成物である。すなわち、本発明の液体柔軟剤組成物は、任意成分として水を含むことが好ましい。水としては、水道水、イオン交換水、純粋、蒸留水等、いずれも用いることができる。保存安定性の点からは、イオン交換水が好適である。本発明の液体柔軟剤組成物において、必須成分たる（Ａ）〜（Ｄ）成分の合計質量を基準（１００質量部）として、「任意成分」たる「水」の質量部は、５００部以下が好ましく、更には４００部以下、特に３５０部以下であることが好ましい。
【００３９】
＜ノニオン界面活性剤＞
ノニオン界面活性剤は、本発明の液体柔軟剤組成物が乳化物である場合に、主に、乳化物中での油溶性成分の乳化分散安定性を向上する目的で、任意成分として用いることができる。特に、ノニオン界面活性剤を配合すると、充分なレベルの高温安定性が確保されやすい。
【００４０】
ノニオン界面活性剤としては、例えば、高級アルコール、高級アミン又は高級脂肪酸から誘導されるものを用いることができる。より具体的には、炭素数１０〜２２のアルキル基又はアルケニル基を有し、エチレンオキシドの平均付加モル数が１０〜１００モルであるポリオキシエチレンアルキルエーテル、エチレンオキシドの平均付加モル数が１０〜１００モルであるポリオキシエチレンアルキルアミン、炭素数８〜１８のアルキル基又はアルケニル基を有するアルキルポリグルコシド等が挙げられる。中でも、炭素数１２〜１８のアルキル基を有し、エチレンオキシドの平均付加モル数が２０〜６０モルのポリオキシエチレンアルキルエーテルが好ましい。本発明の液体柔軟剤組成物中のノニオン界面活性剤の含有量は、所望とする機能に応じて決定できる。
【００４１】
＜染料及び／又は顔料＞
染料及び／又は顔料は、本発明の液体柔軟剤組成物の外観を向上する目的で、任意成分として配合することができる。好ましくは、該染料及び／又は顔料は、酸性染料、直接染料、塩基性染料、反応性染料及び媒染・酸性媒染染料から選ばれる、赤色、青色、黄色もしくは紫色系の水溶性染料の１種以上である。
【００４２】
本発明の液体柔軟剤組成物に添加できる染料の具体例としては、染料便覧（有機合成化学協会編）、法定色素ハンドブック（日本化粧品工業連合会編）等に記載されているものが挙げられる。
【００４３】
＜香料＞
本発明の液体柔軟剤組成物には、必要に応じて、芳香を付与するために香料を添加することができる。特に限定されるものではないが、使用される香料原料のリストは、様々な文献、例えば、「Ｐｅｒｆｕｍｅ  ａｎｄ  Ｆｌａｖｏｒ  Ｃｈｅｍｉｃａｌｓ」，Ｖｏｌ．  Ｉ  ａｎｄ  ＩＩ、Ｓｔｅｆｆｅｎ  Ａｒｃｔａｎｄｅｒ，  Ａｌｌｕｒｅｄ  Ｐｕｂ．  Ｃｏ．  （１９９４）および「合成香料  化学と商品知識」、印藤元一著、化学工業日報社（１９９６）および「Ｐｅｒｆｕｍｅ  ａｎｄ  Ｆｌａｖｏｒ  Ｍａｔｅｒｉａｌｓ  ｏｆ  Ｎａｔｕｒａｌ  Ｏｒｉｇｉｎ」、Ｓｔｅｒｒｅｎ  Ａｒｃｔａｎｄｅｒ，  Ａｌｌｕｒｅｄ  Ｐｕｂ．  Ｃｏ．  （１９９４）および「香りの百科」、日本香料協会編、朝倉書店（１９８９）および「Ｐｅｒｆｕｍｅｒｙ  Ｍａｔｅｒｉａｌ  Ｐｅｒｆｏｒｍａｎｃｅ  Ｖ．  ３．  ３」、Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）および「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」、Ｄａｎｕｔｅ  Ｌａｊａｕｊｉｓ  Ａｎｏｎｉｓ，  Ａｌｌｕｒｅｄ  Ｐｕｂ．  Ｃｏ．  （１９９３）等に記載されている。
【００４４】
（その他の任意成分）
前記の化合物（任意成分）以外に、本発明の液体柔軟剤組成物において、香気や色調の安定性を向上させるために、「第２の任意成分」を配合することができる。この「第２の任意成分」として、例えば、酸化防止剤や還元剤、ポリスチレンエマルジョン等の乳濁剤、不透明剤；機能向上剤として、縮み防止剤、洗濯じわ防止剤形状保持剤、ドレープ性保持剤、アイロン性向上剤、酸素漂白防止剤、増白剤、白化剤、布地柔軟化クレイ、帯電防止剤、ポリビニルピロリドン等の移染防止剤、高分子分散剤、汚れ剥離剤、スカム分散剤、４，４−ビス（２−スルホスチリル）ビフェニルジナトリウム（チバスペシャリティケミカルズ製チノパールＣＢＳ−Ｘ）等の蛍光増白剤、染料固定剤、１，４−ビス（３−アミノプロピル）ピペラジン等の退色防止剤、染み抜き剤；繊維表面改質剤としてセルラーゼ、アミラーゼ、プロテアーゼ、リパーゼ、ケラチナーゼ等の酵素、抑泡剤；水分吸放出性等絹の風合い・機能を付与できるものとしてシルクプロテインパウダー、それらの表面改質物、乳化分散液等を配合することができる。保存安定性の点からは、本発明の液体柔軟剤組成物において、必須成分たる（Ａ）〜（Ｄ）成分の合計質量を基準（１００質量部）として、「第２の任意成分」の質量の合計が１００部以下であることが好ましい。「第２の任意成分」の質量は、更には５０部以下、特に３０部以下であることが好ましい。
【００４５】
より具体的な第２の任意成分としては、例えば、Ｋ−５０、Ｋ−３０、Ｋ−１０、Ａ−７０５、Ｓ−７０２、Ｌ−７１０、ＦＰシリーズ（いずれも出光石油化学社製）、加水分解シルク液（上毛社製）、シルクゲンＧソルブルＳ（一丸ファルコス社製）、アルキレンテレフタラートおよび／またはアルキレンイソフタレート単位とポリオキシアルキレン単位からなる非イオン性高分子化合物等を配合することができる。
【００４６】
［ｐＨ］
本発明の液体柔軟剤組成物のｐＨは特に限定されないが、経時に伴う（Ａ）成分の加水分解を抑制する等の観点から、２５℃におけるｐＨが１〜６の範囲内であることが好ましく、２〜４の範囲内であることがより好ましい。
【実施例】
【００４７】
以下、実施例により本発明を詳細に説明するが、本発明はこれに限定されるものではない。尚、実施例において成分配合量はすべて質量部（指定のある場合を除き、純分（すなわち固形分）換算である）を示す。
【００４８】
［（Ａ）成分］
（ａ１）カチオン界面活性剤として、エステル型ジアルキルアンモニウム塩を用いた。
【００４９】
［（Ｂ）成分］
（ｂ１）クラリアントジャパン（株）より商品名：ＰＲＡＥＰＡＧＥＮ  ＨＹとして入手した、塩化アルキルジメチルヒドロキシエチルアンモニウム型抗菌剤。
（ｂ２）ソー・ジャパン（株）より商品名：アクチサイドＢＡＣ  ５０として入手した、塩化ベンザルコニウム型抗菌剤。
【００５０】
［（Ｃ）成分］
（ｃ１）モノエチレングリコール（三井化学（株））
【００５１】
［（Ｄ）成分］
（ｄ１）旭化成ワッカーシリコーン（株）より商品名：ＷＡＣＫＥＲ  ＦＣ２１８として入手した、アミノ変性シリコーンのエマルジョン。
【００５２】
［その他の任意成分］
（１）ノニオン界面活性剤：ポリオキシエチレンステアリルエーテルのエチレンオキシド５０モル付加物（青木油脂工業（株）製ＢＬＡＵＮＯＮ  ＳＲ−７５０）。
（２）塩化カルシウム（商品名：粒状塩化カルシウム、（株）トクヤマ製）
（３）香料成分
柔軟剤組成物中に（該液体柔軟剤組成物全量を基準＝１００質量部として）１．０質量部になるように配合した。
【００５３】
［試験例１］
表１、表２に液体柔軟剤組成物にて以下の評価を行った実施例と、その比較例の結果を示す。
【００５４】
＜抗菌性試験＞
抗菌性試験は外部試験機関（一般財団法人  ボーケン品質評価機構）にて実施し、評価方法は繊維製品の抗菌性試験  ＪＩＳ  Ｌ  １９０２で定められた定量試験（菌液吸収法）にて実施した。
【００５５】
＜評価基準＞
静菌活性値が２．０未満を×、２．０以上〜３．５未満を△、３．５以上〜４．２未満を○、４．２以上を◎として判定した。表中「括弧（）」内は、上記方法により算出された静菌活性値を示す。
【００５６】
＜防臭性試験＞
１．  評価用布の前処理方法
市販の綿タオル（（株）リポス製）１５枚を前処理専用洗剤（当社製）により全自動洗濯機（ＨＩＴＡＣＨＩ製ＢＷ−７ＭＶ）を用いて３回処理を行った（洗剤標準使用量（２５ｇ／３０Ｌ）、水道水（常温）、水量５０Ｌ、洗浄１２分、次いで注水すすぎ３回、脱水９分）後、前処理専用洗剤を使用せず、同様の工程（水道水（常温）、水量５０Ｌ、洗浄１２分、次いで注水すすぎ３回、脱水９分）を一回行い、室温（２０℃、６５％ＲＨの恒温恒湿条件下）で乾燥させた。
【００５７】
２．  菌の付着方法について上記（１）の処理方法で前処理洗浄をした綿タオル（（株）リポス製）１枚を１日使用（ＡＭ８：００〜ＰＭ５：００の間に、手を拭く時のみ）した。
【００５８】
３．  すすぎ工程を考慮した処理表１および表２に記載の液体柔軟剤組成物を２の綿タオルに処理を行った。２のタオル１枚を、二槽式洗濯機（ＨＩＴＡＣＨＩ製ＰＳ−Ｈ３５Ｌ）を用いて、表１に記載の通り調製した柔軟剤組成物にて５分間処理（柔軟剤組成物３．３３ｇ、水１０Ｌ、水道水（常温））を行った後、脱水を１分間行った。処理後、濡れた状態のまま４つ折りにし、チャック付きポリ袋（（株）生産日本社製ユニパック（登録商標）Ｋ−４）へ入れ、更にチャックの口は開けたまま、３５℃恒温槽にて１２時間放置し、下記に示す評価試験に供した。
【００５９】
４．  防臭性の評価
前記「すすぎ工程を考慮した処理」において、抗菌機能のない柔軟剤組成物（ＮＳファーファ・ジャパン社製  ファーファファインフレグランス）を用いたことを除いて同条件で処理した綿タオルを対照として用い、専門パネラーの平均点により、下記判定基準で判定した。
【００６０】
＜評価基準＞
＋２：対照よりも明らかに良好である。
＋１：対照よりもやや良好である。
０  ：  対照よりもわずかに良好である。
−１：対照の方がやや良好である。
−２：対照の方が明らかに良好である。
【００６１】
＜判定基準＞
パネラー７名以上の点数の平均をとり、以下の基準に従って判定した。商品価値上、０〜０．５点未満を△、０．５〜０．８点未満を○、０．８点以上を◎とした。表中（）内は、上記方法により評価した際の点数の平均値を示す。
【００６２】
［柔軟性評価］
１．  評価用布の前処理方法
市販の綿タオル（（株）リポス製）１５枚を前処理専用洗剤（当社製）により全自動洗濯機（ＨＩＴＡＣＨＩ製ＢＷ−７ＭＶ）を用いて３回処理を行った（洗剤標準使用量（２５ｇ／３０Ｌ）、水道水（常温）、水量５０Ｌ、洗浄１２分→注水すすぎ３回、脱水９分）後、前処理専用洗剤を使用せず、同様の工程（水道水（常温）、水量５０Ｌ、洗浄１２分→注水すすぎ３回、脱水９分）を一回行い、室温で乾燥させた。
【００６３】
２．  洗濯時すすぎ工程での処理
前処理洗浄した綿タオル（（株）リポス製）０．５ｋｇを、二槽式洗濯機（ＨＩＴＡＣＨＩ製ＰＳ−Ｈ３５Ｌ）を用いて、表１および表２に記載の通りに調製した柔軟剤組成物にて５分間処理（柔軟剤組成物３．３３ｇ、水１０Ｌ、水道水（常温））を行った後、脱水を１分間行った。処理後、２０℃、６５％ＲＨの恒温恒湿条件下で乾燥させ、下記に示す評価試験に供した。
【００６４】
３．  柔軟性および肌触りの評価
前記「洗濯時すすぎ工程での処理」において、ＮＳファーファ・ジャパン社製  ファーファファインフレグランスを用いたことを除いて同条件で処理した綿タオルを対照として用い、専門パネラーの平均点により、下記判定基準で判定した。
＜評価基準＞
＋２：対照よりも明らかに良好である。
＋１：対照よりもやや良好である。
０  ：対照よりとほぼ同じである。
−１：対照の方がやや良好である。
−２：対照の方が明らかに良好である。
【００６５】
＜判定基準＞
パネラー「７名以上」の点数の平均をとり、以下の基準に従って判定した。商品価値上、０〜０．５点未満を△、０．５〜１．０点未満を○、１．０点以上を◎とした。表中（）内は、上記方法により評価した際の点数の平均値を示す。
【００６６】
【表１】
2016044371.tif 000004
【００６７】
【表２】
2016044371.tif 000005